(57)【要約】【課題】  注射器の先端からの液垂れを防止する機能を有するプランジャを提供する。【解決手段】  本発明のプランジャは、ガスケット１と、このガスケット１の基端に取り付けられたプランジャロッド２を有している。ガスケット１の基端には係合窩１２が設けられており、この係合窩１２にはこれと相補的な形状に形成されたプランジャロッド２の先端部２１が挿着されている。挿着されたプランジャロッドの基端部先端２２１とガスケット２の基端１３の間には隙間３が生じている。ガスケット１の先端１１は平面状に形成されており、少なくともこの平面状先端１１と係合窩１２の間の部分は、プランジャロッドで押圧されて変形可能な肉厚に形成されている。【選択図】図１
2006158983.tif 000002
【特許請求の範囲】
【請求項１】
先端と基端を有し該先端から注射筒内に摺動自在に挿着されるガスケットと、該ガスケットの基端に取り付けられたプランジャロッドを有してなり、前記ガスケットは、基端に前記プランジャロッドの先端部と係合する係合窩が設けられるとともに、先端が平面状に形成され、かつ少なくとも該平面状先端と係合窩の間の部分が、プランジャロッドで押圧されて変形可能な肉厚にされるとともに、押圧を止めるとゴム弾性により元の形状に戻るゴム弾性材料で形成された栓部材であり、プランジャロッドの先端部は、ガスケットの係合窩と略相補的な形状を有しており、プランジャロッドの先端部を該係合窩に挿着したときに、プランジャロッドの基端部先端とガスケットの基端の間に隙間が生じるようにされてなるプランジャ。
【請求項２】
プランジャロッドの先端部が円錐台状の頭部と首部とからなる請求項１に記載のプランジャ。
【請求項３】
平面状先端と係合窩の間の部分が、容易に変形可能な薄肉に形成されてなる請求項１または２に記載のプランジャ。
【発明の詳細な説明】
【技術分野】
【０００１】
本発明は、注射器のプランジャに関する。より詳しくは、本発明は、注射器による薬液の注入に際して、プランジャの押圧を中断した直後に発生する、注射器の先端からの液垂れを防止する機能を有する注射器のプランジャに関する。本発明のプランジャは、高粘度の薬液を注入する場合や、薬液の注出口が小さい場合、高価な薬液を一度に注入せず数回に分けて注入する場合などに有効である。
【背景技術】
【０００２】
薬液、特に高粘度の薬液を注射器の先端から押し出す場合、プランジャの押圧を中断した直後に、注射器の先端から薬液が突出する現象（液垂れという）が発生することが知られている。この現象は、注射筒から薬液を押し出した後も、注射筒内の圧力によって薬液が押し出されるために生じるもので、液垂れした薬液はこれを注射筒内に戻すことができない。従って、例えば歯科用粘性材料のような高価な薬液の場合には、薬液が無駄になるため不経済であった。
【０００３】
そこで、このような液垂れの問題を解決するものとして、特開２００１−５７９８７号公報の押出し部構造が提案されている。このものは、プランジャの先端部が、注射筒内面の直径より小さい部分と、この部分に連続して設けられたＯリング装着溝を有しており、Ｏリング装着溝は、幅がＯリングの無負荷状態での横断面の直径の１．５倍以上２．５倍以下であって、かつその底部と注射筒の内壁との間隔が一様または基端方向に連続的または段階的に狭くなっており、基端から先端側へＯリングの無負荷状態での横断面の直径の０．５倍隔てた位置における底部と注射筒の内壁との間隔が、Ｏリングの無負荷状態での横断面の直径の０．８５倍以上であることを特徴としている。この構成により、プランジャを押したときにＯリングが基端方向に移動して捩れを生じ、Ｏリングがこのときに生じた捩れた状態から元の状態に復元しようとするときに、プランジャが基端方向に移動して注射筒内が減圧され、液垂れが防止される。
【発明の開示】
【発明が解決しようとする課題】
【０００４】
しかしながら、このものは、Ｏリング装着溝とＯリングの無負荷状態での横断面の直径との関係が微妙であり、また、摺動抵抗が小さい場合、ＯリングがＯリング装着溝の中でよじれを生じない虞がある。
本発明は、如上の事情に鑑みてなされたもので、プランジャの押圧を中断した直後に発生する、注射器の先端からの液垂れを防止する機能を有するプランジャを提供することを目的とする。
【課題を解決するための手段】
【０００５】
本発明者らは上記課題を解決するために、鋭意検討の結果、プランジャロッドを押圧したときにガスケットの先端が変形して盛り上がるようにすれば、プランジャロッドの押圧を止めたときにガスケットが元の形状に復するので、この形状復元により注射筒の内圧を吸収することができることに想到し、本発明に到達した。すなわち本発明は、先端と基端を有し先端から注射筒内に摺動自在に挿着されるガスケットと、このガスケットの基端に取り付けられたプランジャロッドを有してなり、ガスケットは、基端にプランジャロッドの先端部と係合する係合窩が設けられるとともに、先端が平面状に形成され、かつ少なくともこの平面状先端と係合窩の間の部分が、プランジャロッドで押圧されて変形可能な肉厚に形成されており、プランジャロッドの先端部は、ガスケットの係合窩と略相補的な形状を有しており、プランジャロッドの先端部を係合窩に挿着したときに、プランジャロッドの基端部先端とガスケットの基端の間に隙間が生じるようにされてなるプランジャに関する。
ここで、プランジャロッドの先端部は、円錐台状の頭部と首部とからなるものが好ましく採用される。また、平面状先端と係合窩の間の部分は、容易に変形可能な薄肉に形成するのがよい。
【発明の効果】
【０００６】
本発明によれば、液垂れを確実に防止することが出来るので、薬液を無駄にすることがなく経済的である。
【発明を実施するための最良の形態】
【０００７】
次に、本発明の実施例を図面に基づいて説明する。
図１は本発明の一実施例の縦断面図である。また、図２〜図４は図１に示すプランジャを採用した歯科用注射器を示す縦断面図であり、図２は使用前の状態、図３はプランジャを押圧したときの状態、図４は押圧を中断した状態を示す。
図１に示すように、本発明のプランジャは、ガスケット１と、このガスケット１の基端に取り付けられたプランジャロッド２を有している。ガスケット１の基端には係合窩１２が設けられており、この係合窩１２にはこれと相補的な形状に形成されたプランジャロッド２の先端部２１が挿着されている。挿着されたプランジャロッドの基端部先端２２１とガスケット２の基端１３の間には隙間３が生じている。ガスケット１の先端１１は平面状に形成されており、少なくともこの平面状先端１１と係合窩１２の間の部分は、プランジャロッドで押圧されて変形可能な肉厚に形成されている。
【０００８】
ガスケット１は、ブチルゴムや天然ゴム、イソプレンゴム、エラストマー等のゴム弾性材料で形成された栓部材であり、先端１１と基端１３を有しており、先端１１から注射筒（図２の４）内に摺動自在に挿着される。ガスケット１の基端１１にはプランジャロッド２の先端部２１と係合する後述の係合窩１２が設けられている。ガスケット１の先端１１は平面状に形成されており、少なくともこの平面状先端１１と係合窩１２の先端との間の部分は、プランジャロッド２で押圧されて変形可能な肉厚に形成されている。先端１１と係合窩１２の間は薄肉に形成するのが好ましい。
【０００９】
ガスケット１の係合窩１２にはプランジャロッド２の先端部２１が挿着されている。プランジャロッド２は、ポリエチレンやポリプロピレン、ポリエチレンテレフタレート等の可撓性樹脂で形成された棹状の部材であり、先端部２１と基端部２２からなる。先端部２１は、ガスケット１の係合窩１２と略相補的な形状に形成されており、先端部２１の形状としては、図１に示すような、円錐台状の頭部２１１と首部２１２とからなるものが好ましく採用される。ガスケット１の係合窩１２に挿着されたプランジャロッド２の基端部先端２２１とガスケット１の基端１３の間には、隙間３が生じるようになっている。この隙間３は、プランジャＰを押圧した時にガスケット１の先端１１が変形しても無くならない程度の大きさに形成されるのがよい。
【００１０】
次に、本発明のプランジャの液垂れ防止機序について、図２〜４を用いて説明する。図中、Ｐはプランジャ、Ｓは歯科用注射器、４は注射筒、５はノズルチップである。
図２は歯科用注射器Ｓの使用前の状態を示しており、ガスケット１の基端１３とプランジャロッド２の基端部先端２２１の間には隙間３が生じている。プランジャＰを押すと、歯科用注射器Ｓの注射筒４内に収容された薬液（図示していない）はノズルチップ５から押し出されるが、このとき、プランジャロッド２の先端部２１と衝合するガスケット１の平面状先端１１部分が変形するので、プランジャロッド２はガスケット１内を隙間３が無くなる位置まで相対的に前進し、ガスケット１の先端１１が盛り上がる（図３参照）。プランジャＰを押す操作を止めると、先端１１部分がゴム弾性により元の形状に戻るので、プランジャロッド２はガスケット１内を元の位置まで相対的に後退し、再び隙間３が生じる（図４参照）。このときの先端１１部分の復元により、ガスケット１より先端側の部分の容積が増え注射筒４内が減圧されるので、液垂れを防ぐことができる。
【００１１】
〔実施例１〕  ポリプロピレン製の注射筒と本発明のプランジャを備えた、図２に示すような容量１ｍＬの歯科用注射器を５本用意し、夫々注射筒内に水１ｍＬを充填した後、注射筒の先端にノズルチップを装着し、プランジャを０．５ｍｍ押して押圧を中断し、そのときの注射筒先端からの液垂れの様子を観察したところ、表１のような結果が得られた。
【００１２】
〔比較例１〕  実施例１と同様のポリプロピレン製の注射筒と従来のプランジャを備えた、従来の容量１ｍＬの歯科用注射器を５本用意し、夫々注射筒内に水１ｍＬを充填した後、注射筒の先端にノズルチップを装着し、プランジャを０．５ｍｍ押して押圧を中断し、そのときの注射筒先端からの液垂れの様子を観察したところ、表１のような結果が得られた。
表１から、従来の注射器と違い、液垂れが全く発生していないことが分かる。
【００１３】
2006158983.tif 000003
【００１４】
以上述べたことから明らかなように、本発明によれば、液垂れを確実に防止することが出来るので、薬液を無駄にすることがなく経済的である。
【図面の簡単な説明】
【００１５】
【図１】本発明の一実施例の縦断面図である。
【図２】図１に示すプランジャを採用した歯科用注射器を示す縦断面図であり、使用前の状態を示す。
【図３】図１に示すプランジャを採用した歯科用注射器を示す縦断面図であり、プランジャを押圧したときの状態を示す。
【図４】図１に示すプランジャを採用した歯科用注射器を示す縦断面図であり、押圧を中断した状態を示す。
【符号の説明】
【００１６】
１  ガスケット
１１  先端
１２  係合窩
１３  基端
２  プランジャロッド
２１  先端部
２１１  頭部
２１２  首部
２２  基端部
２２１  先端部先端
３  隙間
４  注射筒
５  ノズルチップ
Ｐ  プランジャ
Ｓ  歯科用注射器
【図１】
2006158983.tif 000004
【図２】
2006158983.tif 000005
【図３】
2006158983.tif 000006
【図４】
2006158983.tif 000007